(57)【要約】【課題】  若年者や高齢者であっても箏の開放弦の張力調整を容易に行うことができる箏用調律器を提供すること。【解決手段】  箏用調律器において、弦表示部11と；調子表示部13と；一時記憶部21と；弦表示制御部22aと；調子表示制御部22cと；結果表示部12と；周波数検出部３と；弦番号並びに調子及び開放弦に対応した、許容範囲を持つ基準周波数情報が記憶された記憶部４と；前記周波数検出部３から出力された周波数情報を、一時記憶部21の弦番号情報と調子・開放弦情報に基づき前記記憶部４から読み出した基準周波数情報と比較して許容値の範囲内か範囲外かを判定すると共に、許容値範囲外の誤差が所定の閾値より大きいか小さいかを判定する誤差判定部23と；この誤差判定部23から出力された結果情報に基づき、何れか一つまたは複数のランプを発光または点滅発光させる結果表示制御部22bとを備えて構成した。【選択図】  図１
2019132971.tif 000002
【特許請求の範囲】
【請求項１】
複数本の弦を備えた箏を調律する際に使用される箏用調律器であって、
箏の弦番号に対応する複数のランプ(Ｌ1)(Ｌ2)…が設けられた弦表示部(11)と；少なくとも１以上の調子に対応するランプ(ＬA)(ＬB)…と開放弦に対応するランプ(ＬE)が設けられた調子表示部(13)と；選択された弦番号情報および調子・開放弦情報を一時的に記憶可能な一時記憶部(21)と；この一時記憶部(21)の弦番号情報に基づいて前記弦表示部(11)の弦番号に対応したランプ(Ｌn)を発光させる弦表示制御部(22a)と；前記一時記憶部(21)に記憶された調子・開放弦情報に基づいて前記調子表示部(13)の調子または開放弦に対応したランプを発光させる調子表示制御部(22c)と；
鳴った音が基準音より周波数が高いことを示す第一ランプ(Ｌh)、周波数が低いことを示す第二ランプ(Ｌl)、および周波数が一致していることを示す第三ランプ(Ｌm)が設けられた結果表示部(12)と；弦を弾いた際に鳴った音の周波数を検出して周波数情報として出力する周波数検出部(３)と；弦番号並びに調子及び開放弦に対応した、許容範囲を持つ基準周波数情報が記憶された記憶部(４)と；前記周波数検出部(３)から出力された周波数情報を、一時記憶部(21)の弦番号情報と調子・開放弦情報に基づき前記記憶部(４)から読み出した基準周波数情報と比較して許容値の範囲内か範囲外かを判定すると共に、許容値範囲外の誤差が所定の閾値より大きいか小さいかを判定する誤差判定部(23)と；この誤差判定部(23)から出力された結果情報に基づき、誤差がプラス側の第一閾値より大きい場合に前記第一ランプ(Ｌh)を、また誤差がマイナス側の第二閾値より大きい場合に前記第二ランプ(Ｌl)を、また誤差が許容値の範囲内である場合に前記第三ランプ(Ｌm)を発光させると共に、誤差が許容値から第一閾値の範囲内である場合に、前記第一ランプ(Ｌh)と第三ランプ(Ｌm)を、また誤差が許容値から第二閾値の範囲内である場合に、前記第二ランプ(Ｌl)と第三ランプ(Ｌm)を点滅発光させる結果表示制御部(22b)と；
を備えていることを特徴とする箏用調律器。
【請求項２】
誤差判定部(23)において、第一閾値より大きいプラス側の第五閾値が設定されると共に、結果表示制御部(22b)が、開放弦が選択されて、かつ、周波数検出部(３)から出力された周波数情報が第五閾値より大きい場合または誤差が第五閾値より大きい場合に、第一ランプ(Ｌh)のみを点滅発光させるプログラムを備えていることを特徴とする請求項１記載の箏用調律器。
【請求項３】
複数本の弦を備えた箏を調律する際に使用される箏用調律器の制御方法であって、
弦を弾いた際に鳴った音の周波数を、周波数検出部(３)で検出して周波数情報として出力するステップと；
この周波数検出部(３)から出力された周波数情報を、誤差判定部(23)において一時記憶部(21)の弦番号情報及び調子・開放弦情報に基づき記憶部(４)から読み出した許容範囲を持つ基準周波数情報と比較して許容値の範囲内か範囲外かを判定すると共に、許容値範囲外の誤差が所定の閾値より大きいか小さいかを判定するステップと；
この誤差判定部(23)から出力された開放弦選択時の結果情報に基づき、誤差がプラス側の第一閾値より大きい場合に結果表示部(12)の第一ランプ(Ｌh)を、また誤差がマイナス側の第二閾値より大きい場合に結果表示部(12)の第二ランプ(Ｌl)を、また誤差が許容値の範囲内である場合に結果表示部(12)の第三ランプ(Ｌm)を発光させると共に、誤差が許容値から第一閾値の範囲内である場合に、前記第一ランプ(Ｌh)と第三ランプ(Ｌm)を、また誤差が許容値から第二閾値の範囲内である場合に、少なくとも前記第二ランプ(Ｌl)と第三ランプ(Ｌm)を点滅発光させるステップと；
を有することを特徴とする箏用調律器の制御方法。
【請求項４】
複数本の弦を備えた箏を調律する際に使用される箏用調律器であって、
箏の弦番号に対応する複数のランプ(Ｌ1)(Ｌ2)…が設けられた弦表示部(11)と；少なくとも１以上の調子に対応するランプ(ＬA)(ＬB)…と開放弦に対応するランプ(ＬE)が設けられた調子表示部(13)と；選択された弦番号情報および調子・開放弦情報を一時的に記憶可能な一時記憶部(21)と；この一時記憶部(21)の弦番号情報に基づいて前記弦表示部(11)の弦番号に対応したランプ(Ｌn)を発光させる弦表示制御部(22a)と；前記一時記憶部(21)に記憶された調子・開放弦情報に基づいて前記調子表示部(13)の調子または開放弦に対応したランプを発光させる調子表示制御部(22c)と； 
鳴った音が基準音より周波数が高いことを示す第一ランプ(Ｌh)、及び周波数が低いことを示す第二ランプ(Ｌl)が少なくとも設けられた結果表示部(12)と；弦を弾いた際に鳴った音の周波数を検出して周波数情報として出力する周波数検出部(３)と；弦番号並びに調子及び開放弦に対応した、許容範囲を持つ基準周波数情報が記憶された記憶部(４)と；前記周波数検出部(３)から出力された周波数情報を、一時記憶部(21)の弦番号情報と調子・開放弦情報に基づき前記記憶部(４)から読み出した基準周波数情報と比較して許容値の範囲内か範囲外かを判定すると共に、許容値範囲外の誤差が所定の閾値より大きいか小さいかを判定する誤差判定部(23)と；この誤差判定部(23)から出力された開放弦選択時の結果情報に基づき、誤差が許容値よりプラス側に大きい場合に前記第一ランプ(Ｌh)を、また誤差が許容値よりマイナス側に大きい場合に前記第二ランプ(Ｌl)を発光させる結果表示制御部(22b)と；
前記誤差判定部(23)から出力された開放弦選択時の結果情報に基づき、誤差が許容値の範囲内であった場合に、前記一時記憶部(21)の弦番号情報を選択されていた弦の隣の弦の弦番号に書き換える弦変更制御部(24)と；
を備えていることを特徴とする箏用調律器。
【請求項５】
複数本の弦を備えた箏を調律する際に使用される箏用調律器の制御方法であって、
弦を弾いた際に鳴った音の周波数を、周波数検出部(３)で検出して周波数情報として出力するステップと；
この周波数検出部(３)から出力された周波数情報を、誤差判定部(23)において一時記憶部(21)の弦番号情報及び調子・開放弦情報に基づき記憶部(４)から読み出した許容範囲を持つ基準周波数情報と比較して許容値の範囲内か範囲外かを判定するステップと；
この誤差判定部(23)から出力された開放弦選択時の結果情報に基づき、誤差が許容値の範囲内であった場合に、弦変更制御部(24)において一時記憶部(21)の弦番号情報を選択されていた弦の隣の弦の弦番号に書き換えるステップと；
を有することを特徴とする箏用調律器の制御方法。
【発明の詳細な説明】
【技術分野】
【０００１】
本発明は、箏用調律器の改良、詳しくは、若年者や高齢者であっても箏の開放弦の張力(テンション)調整を容易に行うことができ、また適当な張力に対する誤差がどの程度か瞬時に理解できる箏用調律器、及び箏用調律器の制御方法に関するものである。
【背景技術】
【０００２】
一般的に、弦楽器の調律は、調律器を用いて調律対象となる弦の基準周波数と実際の音の周波数が一致しているか否か、また音程が外れている場合には実際の音の周波数が基準周波数より高いか低いかを確認しながら行う。また従来においては、弦楽器の中でも多くの弦を持つ箏にも適用できる調律器も存在している(特許文献１参照)。
【０００３】
ところで、最近では若年者(例えば小学生・中学生)や高齢者(例えば老人ホーム・介護施設入居者)が箏の演奏を楽しめるように素人でも容易に取り扱えるペグ(peg)を備えた箏も開発されており、このような箏を使用する際には、箏柱の取付けも素人が行うこととなるが、上記従来の箏用調律器は開放弦のテンションを調整する機能を備えていないため、使用時に問題が生じ易い。
【０００４】
具体的には、開放弦が緩すぎる(張力が小さ過ぎる)状態で箏柱を立てようとすると、ペグを巻いたときに箏柱が安定せずに倒れてしまい、その場合、何度も箏柱を立て直す作業が必要となる。また開放弦が張り過ぎた(張力が大き過ぎる)状態で箏柱を立てようとすると、弦と箏本体の隙間に箏柱を入れることが難しいだけでなく、無理に押し込むと箏柱が弦に弾かれて怪我をする危険もある。
【０００５】
また上記従来の箏用調律器に関しては、箏柱を立てた時に特定の基準調子(例えば、平調子など)に合うように開放弦の張力を調整することもできないため、箏柱を立てた後の調律作業時において、各弦を鳴らした音の周波数が基準周波数から大きく外れてしまっていることも多く、調律作業を効率的に行うことが難しいという欠点もある。
【０００６】
一方、従来においては、基準周波数に対する誤差を発光素子の点灯・点滅・消灯で告知する弦楽器用調律器も提案されているが(特許文献２参照)、この調律器に関しては、誤差表示ランプが弦名表示ランプを兼ねているため、調律時に若年者や高齢者が表示ランプを見て音の高低を直感的に理解し難い。
【先行技術文献】
【特許文献】
【０００７】
【特許文献１】特開２００３−１４０６４８号公報
【特許文献２】特開２０１６−１３３６４９号公報
【発明の概要】
【発明が解決しようとする課題】
【０００８】
本発明は、上記問題に鑑みて為されたものであり、その目的とするところは、若年者や高齢者であっても箏の開放弦の張力調整を容易に行うことができ、また調律作業の効率化も可能で、しかも、適当な張力に対する誤差がどの程度か瞬時に理解できる箏用調律器、及び箏用調律器の制御方法を提供することにある。
【課題を解決するための手段】
【０００９】
本発明者が上記課題を解決するために採用した手段を添付図面を参照して説明すれば次のとおりである。
【００１０】
即ち、本発明は、複数本の弦を備えた箏を調律する際に使用される箏用調律器において、箏の弦番号に対応する複数のランプＬ1・Ｌ2…が設けられた弦表示部11と；少なくとも１以上の調子に対応するランプＬA・ＬB…と開放弦に対応するランプＬEが設けられた調子表示部13と；選択された弦番号情報および調子・開放弦情報を一時的に記憶可能な一時記憶部21と；この一時記憶部21の弦番号情報に基づいて前記弦表示部11の弦番号に対応したランプＬnを発光させる弦表示制御部22aと；前記一時記憶部21に記憶された調子・開放弦情報に基づいて前記調子表示部13の調子または開放弦に対応したランプを発光させる調子表示制御部22cと；鳴った音が基準音より周波数が高いことを示す第一ランプＬh、周波数が低いことを示す第二ランプＬl、および周波数が一致していることを示す第三ランプＬmが設けられた結果表示部12と；弦を弾いた際に鳴った音の周波数を検出して周波数情報として出力する周波数検出部３と；弦番号並びに調子及び開放弦に対応した、許容範囲を持つ基準周波数情報が記憶された記憶部４と；前記周波数検出部３から出力された周波数情報を、一時記憶部21の弦番号情報と調子・開放弦情報に基づき前記記憶部４から読み出した基準周波数情報と比較して許容値の範囲内か範囲外かを判定すると共に、許容値範囲外の誤差が所定の閾値より大きいか小さいかを判定する誤差判定部23と；この誤差判定部23から出力された結果情報に基づき、誤差がプラス側の第一閾値より大きい場合に前記第一ランプＬhを、また誤差がマイナス側の第二閾値より大きい場合に前記第二ランプＬlを、また誤差が許容値の範囲内である場合に前記第三ランプＬmを発光させると共に、誤差が許容値から第一閾値の範囲内である場合に、前記第一ランプＬhと第三ランプＬmを、また誤差が許容値から第二閾値の範囲内である場合に、前記第二ランプＬlと第三ランプＬmを点滅発光させる結果表示制御部22bとを備えて構成した点に特徴がある。
【００１１】
また上記構成を採用する場合には、誤差判定部23において、第一閾値より大きいプラス側の第五閾値を設定すると共に、結果表示制御部22bに、開放弦が選択されて、かつ、周波数検出部３から出力された周波数情報が第五閾値より大きい場合または誤差が第五閾値より大きい場合に、第一ランプＬhのみを点滅発光させるプログラムを備えて構成することにより、弦の張力が大き過ぎて弦が切れる危険があることを調弦者に告知することができる。
【００１２】
また本発明においては、複数本の弦を備えた箏を調律する際に使用される箏用調律器の制御方法において、弦を弾いた際に鳴った音の周波数を、周波数検出部３で検出して周波数情報として出力するステップと；この周波数検出部３から出力された周波数情報を、誤差判定部23において一時記憶部21の弦番号情報及び調子・開放弦情報に基づき記憶部４から読み出した許容範囲を持つ基準周波数情報と比較して許容値の範囲内か範囲外かを判定すると共に、許容値範囲外の誤差が所定の閾値より大きいか小さいかを判定するステップと；この誤差判定部23から出力された開放弦選択時の結果情報に基づき、誤差がプラス側の第一閾値より大きい場合に結果表示部12の第一ランプＬhを、また誤差がマイナス側の第二閾値より大きい場合に結果表示部12の第二ランプＬlを、また誤差が許容値の範囲内である場合に結果表示部12の第三ランプＬmを発光させると共に、誤差が許容値から第一閾値の範囲内である場合に、前記第一ランプＬhと第三ランプＬmを、また誤差が許容値から第二閾値の範囲内である場合に、少なくとも前記第二ランプＬlと第三ランプＬmを点滅発光させるステップを含む方法を採用できる。
【００１３】
また本発明においては、複数本の弦を備えた箏を調律する際に使用される箏用調律器において、箏の弦番号に対応する複数のランプＬ1・Ｌ2…が設けられた弦表示部11と；少なくとも１以上の調子に対応するランプＬA・ＬB…と開放弦に対応するランプＬEが設けられた調子表示部13と；選択された弦番号情報および調子・開放弦情報を一時的に記憶可能な一時記憶部21と；この一時記憶部21の弦番号情報に基づいて前記弦表示部11の弦番号に対応したランプＬnを発光させる弦表示制御部22aと；前記一時記憶部21に記憶された調子・開放弦情報に基づいて前記調子表示部13の調子または開放弦に対応したランプを発光させる調子表示制御部22cと；鳴った音が基準音より周波数が高いことを示す第一ランプＬh、及び周波数が低いことを示す第二ランプＬlが少なくとも設けられた結果表示部12と；弦を弾いた際に鳴った音の周波数を検出して周波数情報として出力する周波数検出部３と；弦番号並びに調子及び開放弦に対応した、許容範囲を持つ基準周波数情報が記憶された記憶部４と；前記周波数検出部３から出力された周波数情報を、一時記憶部21の弦番号情報と調子・開放弦情報に基づき前記記憶部４から読み出した基準周波数情報と比較して許容値の範囲内か範囲外かを判定すると共に、許容値範囲外の誤差が所定の閾値より大きいか小さいかを判定する誤差判定部23と；この誤差判定部23から出力された開放弦選択時の結果情報に基づき、誤差が許容値よりプラス側に大きい場合に前記第一ランプＬhを、また誤差が許容値よりマイナス側に大きい場合に前記第二ランプＬlを発光させる結果表示制御部22bと；前記誤差判定部23から出力された開放弦選択時の結果情報に基づき、誤差が許容値の範囲内であった場合に、前記一時記憶部21の弦番号情報を選択されていた弦の隣の弦の弦番号に書き換える弦変更制御部24とを備えた構成を採用できる。
【００１４】
また本発明では、複数本の弦を備えた箏を調律する際に使用される箏用調律器の制御方法において、弦を弾いた際に鳴った音の周波数を、周波数検出部３で検出して周波数情報として出力するステップと；この周波数検出部３から出力された周波数情報を、誤差判定部23において一時記憶部21の弦番号情報及び調子・開放弦情報に基づき記憶部４から読み出した許容範囲を持つ基準周波数情報と比較して許容値の範囲内か範囲外かを判定するステップと；この誤差判定部23から出力された開放弦選択時の結果情報に基づき、誤差が許容値の範囲内であった場合に、弦変更制御部24において一時記憶部21の弦番号情報を選択されていた弦の隣の弦の弦番号に書き換えるステップを含む方法を採用できる。
【発明の効果】
【００１５】
本発明(請求項１)の箏用調律器では、結果表示部に周波数の高低を告知するランプを設けると共に、開放弦の張力が適当な大きさとなる基準周波数と実際に開放弦を鳴らした際の音の周波数を比較して、ランプで誤差を確認できるようにしているため、若年者や高齢者であってもランプを見ながら開放弦の張力調整を容易に行うことができる。
【００１６】
これにより、開放弦が緩み過ぎた状態や張り過ぎた状態で箏柱の取付けを行う必要がないため、弦と箏本体の間に箏柱をスムーズに立てることができる。しかも、本発明の箏用調律器では、箏柱を所定位置に取り付けたときに弦の音が基準調子に合うように開放弦の基準周波数を設定することができるため、調律作業の効率化も図れる。
【００１７】
また本発明(請求項４)の箏用調律器では、開放弦が適当なテンションとなる基準周波数と実際の周波数が一致したときに、選択されていた弦番号を隣の弦の弦番号に書き換える処理が自動的に行われるため、箏の取り扱いに慣れていない若年者や高齢者であっても途中の弦を飛ばすことなく箏の全ての開放弦の張力を順番に調整できる。
【００１８】
また上記箏用調律器において弦番号の移行処理が自動で行われるようにしたことにより、作業者が箏本体から手を離して調律器を操作する必要がなくなるため、ペグの誤操作も防止できる。そしてまた、上記箏用調律器では、弦番号の選択操作にかかる時間も省略できるため、調律作業をスムーズに短時間で完了できる。
【００１９】
したがって、本発明により、箏の取り扱いに慣れた演奏者だけでなく箏に初めて触れる若年者や高齢者でも開放弦の張力調整作業や箏柱の取付け作業、調律作業をスムーズに行える箏用調律器を提供できることから、本発明の実用的利用価値は頗る高い。
【図面の簡単な説明】
【００２０】
【図１】本発明の第一実施形態の箏用調律器を表す平面図である。
【図２】本発明の第一実施形態の箏用調律器を表すブロック図である。
【図３】本発明の第一実施形態の箏用調律器の制御方法を示すフロー図である。
【図４】本発明の第一実施形態の箏用調律器の制御方法を示すフロー図である。
【図５】本発明の第一実施形態の箏用調律器の表示方法を示す説明図である。
【図６】本発明の第一実施形態の箏用調律器の表示方法を示す説明図である。
【図７】本発明の第一実施形態の箏用調律器の表示方法を示すフロー図である。
【図８】本発明の第一実施形態の箏用調律器の表示方法を示すフロー図である。
【発明を実施するための形態】
【００２１】
『第一実施形態』
次に、本発明の第一実施形態について図１〜図８に基づいて説明する。なお図中、符号Ｔで指示するものは、複数本の弦を備えた箏を調律する際に使用する箏用調律器であり、符号１で指示するのものは、調律器の表示部である。また符号２で指示するものは、調律器の制御部であり、また符号３で指示するものは、調律器の周波数検出部である。また符号４で指示するものは、調律器の記憶部であり、また符号５で指示するものは、調律器の操作部である。
【００２２】
「箏用調律器の構成と制御方法」
[１]箏用調律器の基本構成について
まず箏用調律器Ｔの基本構成について説明する。本実施形態では、図１及び図２に示すように、箏用調律器Ｔの筐体表面に、表示部１として弦表示部11と結果表示部12と調子表示部13を設けている。また弦表示部11には、箏の弦番号に対応する複数のランプＬ1・Ｌ2…を設け、結果表示部12には、鳴った音が基準音より周波数が高いことを示す第一ランプＬh、周波数が低いことを示す第二ランプＬl、及び周波数が一致していることを示す第三ランプＬmを設けている。また調子表示部13には、複数の異なる調子に対応した複数のランプＬA・ＬB…と開放弦に対応したランプＬEを設けている。
【００２３】
また箏用調律器Ｔの筐体内には、図２に示すように制御部２として、選択された弦番号情報や調子・開放弦情報を一時的に記憶可能な一時記憶部21、上記表示部１に対する制御を行う表示制御部22、音の周波数の誤差を判別する誤差判定部23、一時記憶部21の弦番号情報を書き換える弦変更制御部24(詳しくは後述する)、及びモードの切り替えを行うモード切替制御部25(詳しくは後述する)を設けている。また表示制御部22に関しては、上記弦表示部11、結果表示部12、調子表示部13に対応する弦表示制御部22a、結果表示制御部22b、調子表示制御部22cをそれぞれ設けている。
【００２４】
また箏用調律器Ｔの筐体内には、図２に示すように箏の弦を弾いた際に鳴った音の周波数を検出して周波数情報として誤差判定部23に出力する周波数検出部３と、周波数情報が誤差判定部23に入力されたときに読み出される基準周波数情報が記憶された記憶部４を設けている。
【００２５】
なお上記基準周波数情報に関しては、上記第一実施形態の表１に示すように弦番号と調子に対応した数値データ群と、下記表２に示す弦番号と開放弦に対応した数値データ群から成り、各数値データは所定の許容範囲(例えば、調子選択時には基準周波数の音程から±10セントの範囲の周波数、開放弦選択時には基準周波数の音程から±5Hzの範囲の周波数等)を持っている。また下記表２に示す数値データについては、本実施形態では箏柱を立てたときに基準調子である平調子に合うように設定しているが、弦の材質や太さ、箏本体の材質や大きさ、どの調子を基準調子とするかによって適宜変更できる。
【表１】
2019132971.tif 000003
【表２】
2019132971.tif 000004
【００２６】
[２]表示部の具体的構成について
〔2-1〕弦表示部
次に上記箏用調律器Ｔの各構成要素について説明する。まず弦表示部11に関しては、本実施形態では、図１に示すように箏の１３本の弦数に合わせて１３個のランプＬ1〜Ｌ13を筐体表面の中央に並べて配置すると共に、各ランプＬ1〜Ｌ13がどの弦番号に対応しているか分かるように筐体表面の各ランプＬ1〜Ｌ13の上側に弦番号を記載している。また本実施形態では、各ランプＬ1〜Ｌ13の配置を箏柱の配置に合わせて右下斜め方向に並べて配置すると共に、筐体表面の各ランプＬ1〜Ｌ13の周囲に箏に見立てた矩形型の模様を付している。
【００２７】
〔2-2〕弦表示部の変更例
なお上記弦表示部11に関しては、調律対象となる箏の弦の本数が１３本より少ない場合または多い場合、その本数に応じてランプの数や配置を適宜変更することができる。また本実施形態では、弦表示部11の弦番号を漢数字で記載しているが、子供でも分かるように英数字で記載することもできる。
【００２８】
〔2-3〕結果表示部
また上記結果表示部12に関しては、本実施形態では、図１に示すように筐体表面の左側に３つのランプを第一ランプＬh、第三ランプＬm、第二ランプＬlの順に縦方向に並べて配置している。また本実施形態では、第一ランプＬhと第二ランプＬlに発光色が赤色のものを、また第三ランプＬmに発光色が緑色のものを使用して容易に区別できるようにしている。また本実施形態では、各ランプが何に対応しているかが分かるように筐体表面の第一ランプＬhと第二ランプＬlの右側に“高”“低”の文字をそれぞれ印字し、第三ランプＬmの右側にOKを示す三角模様を印字している。
【００２９】
〔2-4〕結果表示部の変更例
なお上記結果表示部12に関しては、第三ランプＬmを省略して第一ランプＬhと第二ランプＬlのみから構成することもでき、その場合には、第一ランプＬhと第二ランプＬlの両方を点灯させてOK表示とすることもできる。また結果表示部12において、第一ランプＬhや第二ランプＬlと第三ランプＬmを区別する方法に関しても、発光色を変えるだけでなくランプの大きさや形状を変えるによって容易に区別できるようにすることもできる。
【００３０】
〔2-5〕調子表示部
また上記調子表示部13に関しては、本実施形態では、図１に示すように筐体表面の上側にドレミ調、雲井調子、乃木調子、平調子に対応した四つのランプＬA・ＬB・Ｌc・ＬDを横方向に並べて配置すると共に、四つのランプＬA・ＬB・Ｌc・ＬDの左側に開放弦に対応したランプＬEを配置して構成している。また本実施形態では、各ランプがどの調子・開放弦に対応しているかが分かるように各ランプＬA〜ＬEの上側に対応する調子の名称を記載している。また本実施形態では、一般的な箏の調子である平調子や乃木調子、雲井調子の他に洋音階のドレミ調を加えているため、他の洋楽器ともアンサンブルし易い。
【００３１】
〔2-6〕調子表示部の変更例
なお上記調子表示部13に関しては、調律に用いる調子の数が４つより少ないまたは多い場合、その調子の数に応じてランプの数や配置を適宜変更することができる。また調子表示部13にランプを設けずに弦表示部11のランプの発光色を変える等により選択された調子の表示を行うこともできる。
【００３２】
[３]制御部及び記憶部の具体的構成について
一方、上記制御部２の表示制御部22、誤差判定部23、弦変更制御部24、モード選択制御部25に関しては、箏用調律器Ｔの筐体内に収容された演算処理装置や記憶装置等から成るハードウェアと、記憶装置に格納された制御部で実行されるソフトウェア(プログラムの詳細については後述する)から構成している。また上記制御部２の一時記憶部21や基準周波数情報が記憶された記憶部５に関しても、記憶装置から成るハードウェアから構成している。また制御部２は、表示制御部22から出力された制御信号を各表示部に出力できるように表示部１に接続すると共に、基準周波数情報を読み込めるように記憶部５と接続して構成している。
【００３３】
[４]周波数検出部の具体的構成について
また上記周波数検出部３に関しては、本実施形態では、図１及び図２に示すように筐体表面から集音し、入力された音を電気信号に変換するマイク31、電気信号を増幅させる増幅回路32、増幅した電気信号よりパルス信号を成形するパルス成形回路33、パルス信号が周囲の雑音か弦の音かを検出するAD検出部34、パルス成形回路33とAD検出部34から入力された情報から弦の音の周波数を算出する周波数演算部35から構成している。また周波数検出部３は、周波数演算部35で算出された周波数情報を誤差判定部23に出力できるように制御部２に接続している。
【００３４】
[５]操作部について
また本実施形態においては、図１に示すように、箏用調律器Ｔの筐体表面の下部に操作部５として弦選択操作部51と調子選択操作部52を設けている。具体的には、弦選択操作部51として順送りと逆送りの２個のボタンと、調子選択操作部52として１個のボタンを設けている。またこの操作部５は、各操作部から入力された情報を一時記憶部21に出力できるように制御部２と接続している。これにより弦番号手動設定モード(モードの説明については後述する)において、一時記憶部21に記憶されている弦番号情報を弦選択操作部51により変更することができ、また一時記憶部21に記憶されている調子情報を調子選択操作部52によって変更することができる。なお本実施形態においては、弦番号自動設定モード(モードの説明については後述する)においても、一時記憶部21に記憶されている弦番号情報を弦選択操作部51により変更することができる。
【００３５】
[６]制御プログラムについて
〔6-1〕弦表示制御プログラム及び調子表示制御プログラム
次に上記制御部２で用いられる制御プログラムについて説明する。まず弦表示制御部22aにおいては、一時記憶部21の弦番号情報に基づいて弦表示部11の弦番号に対応したランプＬn(※n：1〜13の何れかの数字)を発光させるプログラムを使用している。また調子表示制御部22cについては、一時記憶部21の調子・開放弦情報に基づいて調子表示部13の各調子または開放弦に対応したランプＬA〜ＬEを発光させるプログラムを使用している。
【００３６】
〔6-2〕誤差判定プログラム
また誤差判定部23においては、周波数検出部３から周波数情報が入力されたとき、基準周波数情報を一時記憶部21の弦番号情報及び調子・開放弦情報に基づき記憶部４から読み出すと共に、周波数情報と読み出した基準周波数情報とを比較して鳴った音の周波数が許容値の範囲内か範囲外かを判定するプログラムを使用している。なお本実施形態では、誤差判定部23において鳴った音の周波数が許容値範囲外であった場合に、その誤差が所定の閾値より大きいか小さいかを判定するプログラムも使用している。
【００３７】
また上記閾値に関しては、本実施形態では、プラス側(基準周波数より大きい側)の第一閾値(例えば、調子選択時には基準周波数の音程から＋100セントの周波数、開放弦選択時には基準周波数から＋25Hzの周波数)と、マイナス側(基準周波数より小さい側)の第二閾値(例えば、調子選択時には基準周波数の音程から−100セントの周波数、開放弦選択時には基準周波数から−25Hzの周波数)を設定すると共に、プラス側の第一閾値と許容値の間に第三閾値(例えば、調子選択時に基準周波数の音程から＋30セントの周波数)を、またマイナス側の第二閾値と許容値の間に第四閾値(例えば、調子選択時に基準周波数の音程から−30セントの周波数)をそれぞれ設定している。また本実施形態では、第一閾値より大きいプラス側の第五閾値(例えば、開放弦選択時に周波数検出部３から出力された値が195Hzの周波数)を設定している。
【００３８】
また本実施形態では、誤差判定プログラムにおいて、入力された周波数情報の倍音成分をカットするために、図３及び図４に示すように調子・開放弦情報と弦番号情報から求まるフィルタ値(本実施形態では、フィルタ値は４種類の調子と１３本の弦番号の組み合わせで決まる５２個の定数)を用いて入力された周波数情報に対しフィルタ処理を行う。そして、このフィルタ処理により倍音成分がカットされた周波数情報に対して判定処理を行う。
【００３９】
〔6-3〕結果表示制御プログラム
また結果表示制御部22bでは、上記誤差判定部23から結果情報が入力されたとき、その結果情報に基づき、誤差が許容値よりプラス側に大きい場合には、図５に示すように結果表示部12の第一ランプＬhを、また誤差が許容値よりマイナス側に大きい場合には結果表示部12の第二ランプＬlを、また誤差が許容値の範囲内である場合には、図６に示すように結果表示部12の第三ランプＬmを発光させるプログラムを使用している。
【００４０】
また本実施形態では、結果表示制御部22bにおいて、誤差が許容値から第一閾値の範囲内であった場合には、図５及び図６に示すように結果表示部12の第一ランプＬhと第三ランプＬmを、また誤差が許容値から第二閾値の範囲内であった場合に、結果表示部12の第二ランプＬlと第三ランプＬmを点滅発光させるプログラムを使用している。
【００４１】
また本実施形態では、結果表示制御部22bにおいて、調子選択時に誤差が第三閾値から許容値の範囲内であった場合には、誤差が第一閾値と第三閾値の範囲内であるときより第一ランプＬhと第三ランプＬmを高速に点滅発光させるプログラムを、また調子選択時に誤差が第四閾値と許容値の範囲内であった場合に、誤差が第二閾値と第四閾値の範囲内であるときより第二ランプＬlと第三ランプＬmを高速に点滅発光させるプログラムを使用している。
【００４２】
また上記点滅パターンと点滅速度に関しては、本実施形態では、調子選択時に誤差が第三閾値から許容値の範囲内であった場合(または調子選択時に誤差が第四閾値と許容値の範囲内であった場合)、18ms周期で第一ランプＬh(または第二ランプＬl)と第三ランプＬmを交互に点灯させて点滅させ、また調子選択時に誤差が第一閾値と第三閾値の範囲内であった場合(または調子選択時に誤差が第二閾値と第四閾値の範囲内であった場合)、図５に示すように100ms間の第一ランプＬh(または第二ランプＬl)の点灯と第三ランプＬmの点灯、並びに200ms間の全消灯を順次繰り返して点滅させている。
【００４３】
また本実施形態では、開放弦選択時において、誤差が許容値と第一閾値の範囲内であった場合(または開放弦選択時に誤差が許容値と第四閾値と許容値の範囲内であった場合)、図６に示すように100ms間の第一ランプＬh(または第二ランプＬl)の点灯と第三ランプＬmの点灯、並びに200ms間の全消灯を順次繰り返して点滅させている。
【００４４】
また本実施形態では、開放弦選択時に周波数検出部３から出力された周波数情報が第五閾値より大きい場合に、図５に示すように第一ランプＬhのみを点滅発光させるプログラムを備えている。これにより弦の張力が大き過ぎて弦が切れる危険があることを調弦者に告知できる。なお本実施形態では、第五閾値を絶対値として設定しているが、基準周波数からの誤差の大きさ(相対値)で第五閾値を設定することもでき、その場合には、誤差が第五閾値より大きい場合に、第一ランプＬhのみを点滅発光させるプログラムを採用することができる(※第五閾値を相対値とする場合には、基準周波数に応じた複数の値を設定する必要がある)。
【００４５】
〔6-4〕結果表示制御プログラムの変更例
なお上記誤差の大きさを段階的に示唆する結果表示制御プログラムに関しては、上記以外の制御方法を採用することもでき、例えば、誤差が第一閾値や第二閾値より大きい場合の結果表示部12のランプＬh・Ｌlの発光輝度を最大にして、誤差が第一閾値・第二閾値から第三閾値・第四閾値、許容値へと近づくにつれて各ランプＬh・Ｌlの発光輝度を徐々に小さくする制御プログラムを採用することもできる。また誤差が許容値と第一閾値の範囲内である場合や、許容値と第二閾値の範囲内である場合に、第三ランプＬmを発光させずに第一ランプＬhまたは第二ランプＬlのみを点滅発光させることもできる。
【００４６】
〔6-5〕弦変更制御プログラム
また弦変更制御部24では、誤差判定部23から結果情報が入力されたとき、その結果情報に基づき、誤差が許容値の範囲内であった場合に、一時記憶部21の弦番号情報を選択されていた弦の隣の弦の弦番号に書き換えるプログラムを使用している。また本実施形態では、弦変更制御部24において、最後の弦が選択されていて次の弦がない場合に、一時記憶部21の弦番号情報を最初の弦の弦番号に戻すプログラムを使用している。
【００４７】
また本実施形態では、図３に示すように弦番号情報の書き換え処理を、判定処理から一定時間が経過した後に行っている。具体的には、音の入力がなくなってから一定時間経過するとサンプリングを終了し、サンプリング終了から１秒後、最後の判定結果が基準周波数に一致(結果表示部12の第三ランプＬmが点灯している状態)の場合、移行告知(詳しくは後述する)を３秒間行った後、一時記憶部21の弦番号情報を現在の弦番号＋１の番号に書き換える。
【００４８】
また本実施形態では、上記弦変更制御部24において、奥側の弦から手前の弦に向かって調律が行えるように、一番小さい弦番号を初期状態とし、一つずつ弦番号が大きくなるように制御を行っているが、手前の弦から奥側の弦に向かって調律が行えるように、一番大きい弦番号から一つずつ弦番号を小さくする制御方法を採用することもできる。
【００４９】
〔6-6〕移行告知制御プログラム
また本実施形態では、上記弦変更制御部24において、一時記憶部21の弦番号情報の書き換えを行う前に、結果表示部12の第三ランプＬmと弦表示部11の選択されていた弦番号のランプＬnを一定時間、点滅発光させて移行告知を行うプログラムを使用している。これにより一時記憶部21の弦番号情報が変更されることが事前に分かるため、指を次の弦に移す等の準備を行うことができる。
【００５０】
〔6-7〕移行告知制御プログラムの変更例
なお上記移行告知制御プログラムに関しては、必ずしも結果表示部12の第三ランプＬmと弦表示部11の選択されていた弦番号のランプＬnを点滅させる必要はなく、例えば、弦表示部11のランプのみを点滅させて告知を行うこともでき、また別個に移行告知用ランプを設けて告知を行うこともできる。
【００５１】
〔6-8〕モード切替制御プログラム
また本実施形態では、モード切替制御部25において、弦選択操作部51の二つのボタンを長押ししたときに、弦番号自動設定モード(一時記憶部21に記憶された弦番号情報を弦変更制御部24により自動的に変更するモード)と、弦番号手動設定モード(一時記憶部21に記憶された弦番号情報を弦選択操作部51により手動で変更するモード)が切り替わるプログラムを使用している。なお弦選択操作部51とは別にモード切替操作部を設けて切替え操作を行うこともできる。
【００５２】
なお本実施形態においては、調子選択時においては初期状態で弦番号自動設定モードが選択された状態となっており、弦選択操作部51による弦番号の選択も行えるようになっている。一方、開放弦選択時においては、初期状態で弦番号手動設定モードが選択された状態となっており、弦番号の変更は基本的に弦選択操作部51によって行われる。
【００５３】
[７]箏用調律器の開放弦の張力調整方法について
〔7-1〕開放弦及び弦番号の選択
次に上記箏用調律器Ｔの使用方法について説明する。まず箏柱を立てる前の開放弦の張力を調整するために調子選択操作部52を操作して開放弦を選択する。そして、弦選択操作部51により選択した弦番号の弦を弾いて音を鳴らす。この際、箏用調律器Ｔの筐体表面に配置された周波数検出部３のマイク31から鳴った音が入力され、誤差判定部23において入力された音の周波数が基準周波数の許容値の範囲内か否か、また許容値範囲外の誤差があった場合にその誤差がどの程度の大きさが自動的に判別される。
【００５４】
〔7-2〕開放弦選択時に基準周波数からの誤差が大きい場合
上記入力された音の周波数が基準周波数より高い場合(本実施形態では、基準周波数から＋25Hzより大きい場合)には、図５に示すように結果表示部12の第一ランプＬhが点灯する。また上記入力された音の周波数が基準周波数より低い場合(本実施形態では、基準周波数から−25Hzより大きい場合)には、結果表示部12の第二ランプＬlが点灯する。そして、これらの結果表示から現在の状態を判断してペグによる弦のテンション調整を行う。
【００５５】
〔7-3〕開放弦選択時に基準周波数からの誤差が小さい場合
上記入力された音の周波数が基準周波数より少し高い場合(本実施形態では、基準周波数から＋5Hz〜＋25Hzの範囲の場合)には、図６に示すように結果表示部12の第一ランプＬhと第三ランプＬmがゆっくりと交互に点滅する。また上記入力された音の周波数が基準周波数より少し低い場合(本実施形態では、基準周波数から−5Hz〜−25Hzの範囲の場合)には、結果表示部12の第二ランプＬlと第三ランプＬmをゆっくりと交互に点滅する。そして、これらの結果表示から現在の状態を判断してペグによる弦のテンション調整を行う。
【００５６】
〔7-4〕開放弦選択時に基準周波数からの誤差が大き過ぎる場合
また上記入力された音の周波数が基準周波数より遙かに高い場合(本実施形態では、周波数検出部３から出力された周波数が195Hzより大きい場合)に、図５に示すように第一ランプＬhのみが点滅発光する。これにより弦の張力が大き過ぎて弦が切れる危険があることを察知できるため、ペグにより弦を弛めてこのような危険を回避する。
【００５７】
〔7-5〕開放弦選択時に基準周波数に一致する場合
上記入力された音の周波数が基準周波数と一致していた場合(本実施形態では、基準周波数から−5Hz〜＋5Hzの範囲の場合)には、図６に示すように結果表示部12の第三ランプＬmが点灯する。そして、弦番号自動設定モードの場合には、一定時間経過後に弦表示部11のランプと結果表示部12の第三ランプＬmが点滅発光し、３秒経過後に弦表示部11の現在の弦番号のランプが消灯し次の弦番号のランプが点灯する。また弦番号手動設定モードの場合には、弦番号情報を弦選択操作部51により隣の弦の弦番号に変更し、この作業を最後の弦番号まで繰り返し行って張力調整を完了した後、各弦に箏柱を立てる。
【００５８】
〔7-6〕開放弦選択時の結果表示のまとめ
上記使用時における結果表示の状態を以下にまとめる。なおこの説明中では、ランプの種類を分かり易くするために、第一ランプＬhを「高」ランプ、第二ランプＬlを「低」ランプ、第三ランプＬmを「OK」ランプと呼称する(フロー図については図７参照)。
(1)基準周波数と同じ→「OK」ランプ点灯
(2)基準周波数より少し高い→「高」ランプと「OK」ランプがゆっくりと点滅
(3)基準周波数より少し低い→「低」ランプと「OK」ランプがゆっくりと点滅
(4)基準周波数より高い→「高」ランプ点灯
(5)基準周波数より低い→「低」ランプ点灯
(6)基準周波数より遙かに高い→「高」ランプが点滅
【００５９】
[８]箏用調律器の調律方法について
〔8-1〕調子及び弦番号の選択
次に上記箏用調律器Ｔの調律方法について説明する。まず調子選択操作部52を操作して四つの調子(ドレミ調、雲井調子、乃木調子、平調子)の内から調律を行う調子を一つ選択する。なお洋楽器と一緒に演奏する場合には、ドレミ調を選択することが好ましい。また弦番号については、弦番号自動設定モードの場合、初期の弦番号が選択された状態となるが、他の弦番号を選択したい場合には弦選択操作部51による選択を行う。
【００６０】
〔8-2〕選択した弦番号の弦を弾く
上記作業が完了した後、選択した弦番号の弦を弾いて音を鳴らす。この際、箏用調律器Ｔの筐体表面に配置された周波数検出部３のマイク31から鳴った音が入力され、誤差判定部23において入力された音の周波数が基準周波数の許容値の範囲内か否か、また許容値範囲外の誤差があった場合にその誤差がどの程度の大きさが自動的に判別される。
【００６１】
〔8-3〕基準周波数からの誤差が大きい場合
上記入力された音の周波数が基準周波数よりかなり高い場合(本実施形態では、基準周波数から＋100セントより大きい場合)には、図５に示すように結果表示部12の第一ランプＬhが点灯する。また上記入力された音の周波数が基準周波数よりかなり低い場合(本実施形態では、基準周波数から−100セントより大きい場合)には、結果表示部12の第二ランプＬlが点灯する。そして、これらの結果表示から現在の状態を判断して、箏柱の位置の調整やペグによる弦のテンション調整を行う。
【００６２】
〔8-4〕基準周波数からの誤差が小さい場合
上記入力された音の周波数が基準周波数より高い場合(本実施形態では、基準周波数から＋30セント〜＋100セントの範囲の場合)には、図６に示すように結果表示部12の第一ランプＬhと第三ランプＬmがゆっくりと交互に点滅する。また上記入力された音の周波数が基準周波数より低い場合(本実施形態では、基準周波数から−30セント〜−100セントの範囲の場合)には、結果表示部12の第二ランプＬlと第三ランプＬmをゆっくりと交互に点滅する。そして、これらの結果表示から現在の状態を判断して、箏柱の位置の調整やペグによる弦のテンション調整を行う。
【００６３】
〔8-5〕基準周波数からの誤差が非常に小さい場合
上記入力された音の周波数が基準周波数より少し高い場合(本実施形態では、基準周波数から＋10セント〜＋30セントの範囲の場合)には、図５に示すように結果表示部12の第一ランプＬhと第三ランプＬmが高速に点滅発光する。また上記入力された音の周波数が基準周波数より少し低い場合(本実施形態では、基準周波数から−10セント〜−30セントの範囲の場合)には、結果表示部12の第二ランプＬlと第三ランプＬmが高速に点滅発光する。そして、これらの結果表示から現在の状態を判断して、箏柱の位置の調整やペグによる弦のテンション調整を行う。
【００６４】
〔8-6〕基準周波数に一致する場合
上記入力された音の周波数が基準周波数と一致していた場合(本実施形態では、基準周波数から−10セント〜＋10セントの範囲の場合)には、図６に示すように結果表示部12の第三ランプＬmが点灯する。そして、弦番号自動設定モードの場合には、一定時間経過後に弦表示部11のランプと結果表示部12の第三ランプＬmが点滅発光し、３秒経過後に弦表示部11の現在の弦番号のランプが消灯し次の弦番号のランプが点灯する。この作業を最後の弦番号まで繰り返し行って調律作業を終了する。
【００６５】
〔8-7〕調子選択時の結果表示のまとめ
上記使用時における結果表示の状態を以下にまとめる。なおこの説明中では、ランプの種類を分かり易くするために、第一ランプＬhを「高」ランプ、第二ランプＬlを「低」ランプ、第三ランプＬmを「OK」ランプと呼称する(フロー図については図８参照)。
(1)基準周波数と同じ→「OK」ランプ点灯
(2)基準周波数より少し高い→「高」ランプと「OK」ランプが高速点滅
(3)基準周波数より少し低い→「低」ランプと「OK」ランプが高速点滅
(4)基準周波数より高い→「高」ランプと「OK」ランプがゆっくりと点滅
(5)基準周波数より低い→「低」ランプと「OK」ランプがゆっくりと点滅
(6)基準周波数よりかなり高い→「高」ランプ点灯
(7)基準周波数よりかなり低い→「低」ランプ点灯
【符号の説明】
【００６６】
１  表示部
11  弦表示部
12  結果表示部
13  調子表示部
２  制御部
21  一時記憶部
22  表示制御部
22a  弦表示制御部
22b  結果表示制御部
22c  調子表示制御部
23  誤差判定部
24  弦変更制御部
25  モード切替制御部
３  周波数検出部
31  マイク
32  増幅回路
33  パルス成形回路
34  AD検出部
35  周波数演算部
４  記憶部
５  操作部
51  弦選択操作部
52  調子選択操作部
Ｔ  箏用調律器
Ｌ  ランプ
【図１】
2019132971.tif 000005
【図２】
2019132971.tif 000006
【図３】
2019132971.tif 000007
【図４】
2019132971.tif 000008
【図５】
2019132971.tif 000009
【図６】
2019132971.tif 000010
【図７】
2019132971.tif 000011
【図８】
2019132971.tif 000012